(57)【要約】【課題】  杖にはお洒落を兼ねた紳士用杖や登山用杖、森や公園などの散策用杖、そして、福祉機器としての歩行補助をする杖などが存在するが、これらの杖を利用した時に楽しさの発揚が不足している。また、杖をさらに安心して利用できることが求められている。【解決手段】  本発明に係る杖は、上記活用の休憩時などに、野鳥や虫などと楽しく呼び合える笛を内蔵した杖であって、杖の握り手１に竹笛や小鳥の鳴声を模擬できる鳥笛、虫の音を模擬できる虫笛など１個または複数個を直接機械加工や成型加工で造るか、または別体の笛を装着しており、当該杖を活用時にこの笛を吹く楽しみが加わり、杖を利用する楽しみが増加できる。また、福祉機器としての当該杖には、握り手１に警報音を発生できる警笛など内蔵しており、杖を活用時に病気や事故などが発生した時に、安心して杖を利用できる。【選択図】図５
2016048360.tif 000002
【特許請求の範囲】
【請求項１】
杖の握り手に竹笛や野鳥、虫などと楽しく呼び合える笛を内蔵した杖であって、当該杖は杖の握り手に小鳥の鳴声を模擬できる鳥笛、虫の音を模擬できる虫笛など１個または複数個を直接機械加工や成型加工で造るか、または別体の笛を装着したことを特徴とする杖。
【請求項２】
杖の握り手に警笛を内蔵した杖であって、当該杖は杖の握り手に警笛など１個または複数個を直接機械加工や成型加工で造るか、または別体の警笛などを装着したことを特徴とする杖。
【発明の詳細な説明】
【技術分野】
【０００１】  本発明は、杖の活用範囲をさらに広げ、さらに楽しく、そして安心して使用できるようにするための装置に関するものである。
杖は、基本的に手で掴む握り手と杖本体の支柱並びに支柱の先端に設けられた石突などにより構成されている。本発明は、杖の握り手に、直接機械加工や成型加工を行って笛を造りこむか、または別体の笛を装着することに関するものである。
【背景技術】
【０００２】  杖にはお洒落を兼ねた紳士用杖や登山用杖、森や公園などの散策用杖、そして、福祉機器としての歩行補助をする杖などが存在するが、これらの杖を利用した時に楽しさの発揚が不足している。【０００３】  杖には杖の握り手と支柱とが同一材料にて一体で出来ている物と、握り手と支柱が別体で作製され、組立て構成された物がある。【０００４】  杖の材料には竹や木材、金属、合成樹脂、ゴムなどが使用されている。【０００５】  笛には尺八やリコーダー、フルートなどの楽器の他、竹笛や小鳥の鳴き声を模擬できる鳥笛、虫の音を模擬できる虫笛並びにスポーツの審判や警察官などが用いる警笛がある。そして、これらは商品として長年市販されており、基本的な技術は確立されている。
【先行技術文献】
【特許文献】
【０００６】
【特許文献１】特願２０１１−２９０６２３
【非特許文献】
【０００７】
【非特許文献１】ｈｔｔｐ：／／ｗｗｗ．ｊａ．ｗｉｋｉｐｅｄｉａ．ｏｒｇ／ｗｉｋｉ／笛の説明
【発明の概要】
【発明が解決しようとする課題】
【０００８】  解決しようとする課題は、杖は上記のように色々な目的で活用されているが、さらに杖の活用の範囲を広げ、杖をさらに楽しく利用できること。そして、杖をさらに安心して利用できることが求められている。【０００９】  本発明の目的は、上記問題点に鑑み、従来の杖に比べ、杖の活用時の楽しみを付加し、さらに杖の活用時に病気や事故などが発生した時、安心して対応できる装置を内蔵している杖を実現することである。
【課題を解決するための手段】
【００１０】  上記課題を解決するため、本発明に係る杖は、活用時の休憩などに、野鳥や虫などと楽しく呼び合える笛を内蔵した杖であって、当該杖は杖の握り手に小鳥の鳴声を模擬できる鳥笛、虫の音を模擬できる虫笛など１個または複数個を直接機械加工や成型加工で造るか、または別体の笛を装着したことを特徴とする。【００１１】  上記のもう一つの課題を解決するため、本発明に係る杖は、活用時に病気や事故が発生した時などに警報音を発生して助けを求めることができ、安心して杖を利用できるように警笛を内蔵した杖であって、当該杖は杖の握り手に警笛など１個または複数個を直接機械加工や成型加工で造るか、または別体の警笛などを装着したことを特徴とする。
【発明の効果】
【００１２】  上記発明の笛を内蔵した杖の開発により、登山や森、公園などの散策に当該杖を活用した時に楽しみが増え、多くの人々が屋外に出掛ける機会が増加して健康増進が図れる。さらに、杖に関連した製造業の発展や交通産業、外食産業などのへの波及効果が期待できる。【００１３】  上記のもう一つの発明である警笛を内蔵した杖の開発により、森や公園などの散策に当該杖を活用する安心感が生まれ、多くの人々が屋外に出掛ける機会が増え、健康増進が図れ、それに伴う医療費の削減や杖に関連した製造業の発展並びに交通産業や外食産業など波及展効果が期待できる。【００１４】  本発明の笛を内蔵した杖の開発において、杖の握り手と杖の支柱が別体で製作された組立て方式の杖においては、季節に合わせ、小鳥や虫の声を模擬できる笛を握り手に内蔵した種々の握り手の生産が可能であり、量産効果も上がり、産業の発展が期待できる。一方、杖の使用者は季節や散策地などに適した好みの笛が内蔵されている握り手を単体で購入することができ、握り手の付け替えによって、さらに散策の楽しみが増えることが期待できる。
【図面の簡単な説明】
【００１５】
【図１】本発明の実施例に係る杖の握り手に笛を内蔵した杖の正面図である。図１上の１は杖の握り手で、２は杖の支柱、３は杖の石突である。
【図２】本発明の実施例に係る杖の握り手に笛を内蔵した杖の右側面図である。図２上の１は杖の握り手で、８は握り手に直接機械加工して造った笛の音程調整部である。
【図３】本発明の実施例に係る杖の握り手に笛を内蔵した杖の左側面図である。図３上の１は杖の握り手で、４は握り手に直接機械加工して造った笛の唄口、６はリードである。
【図４】本発明の実施例に係る杖の握り手に笛を内蔵した杖の平面図である。図４上の１は杖の握り手で、５は笛部、７はブレードである。
【図５】本発明の実施例に係る杖の握り手のＡ−Ａ線断面図である。図５上の笛は直接機械加工で造った竹笛を模擬した笛で、１は杖の握り手、２は杖の支柱であり、握り手と支柱で一対のねじを造り、組み付けした事例を示す。４は唄口、５は笛部、６はリード、７はブレード、８は音程調整部である。
【発明を実施するための形態】
【００１６】  以下、本発明の実施の形態について説明する。提案杖は、握り手に笛を内蔵した構成であり、杖を活用しての登山や森、公園などを散策中の休憩時において、杖に内蔵した笛を使って小鳥の鳴き声や虫の音など模擬し、小鳥や虫などと会話を楽しみながら散策できる。
【００１７】  握り手に警笛を内蔵した構成であり、杖を活用時に病気や事故などが発生した時に、警笛を鳴らして助けを求めることができ、杖を利用して森や公園など安心して散策ができる。
【実施例】
【００１８】  登山用の杖や森、公園など散策用の杖の握り手に小鳥の鳴き声や虫の音を模擬できる笛や警笛を内蔵することで、別個に小鳥の声などを模擬できる笛を用意する必要はなく、簡素で楽しく散策が出来る。図５は杖の握り手に直接機械加工して、竹笛を模擬した笛を内蔵した実施例である。
【産業上の利用可能性】
【００１９】  本発明により、杖の活用範囲が広がり、杖の握り手と支柱が組立て方式の杖においては、杖の握り手の需要が増え、生産量の増加が期待できる。したがって、握り手の新たなデザインや生産加工方法の新開発も期待できる。
【符号の説明】
【００２０】１．握り手
２．支柱
３．石突
４．唄口
５．笛部
６．リード
７．ブレード
８．音程調整部
【図１】
2016048360.tif 000003
【図２】
2016048360.tif 000004
【図３】
2016048360.tif 000005
【図４】
2016048360.tif 000006
【図５】
2016048360.tif 000007